(57)【要約】【課題】  乳幼児が飽きることなく口中での体温測定ができる電子体温計の提供。【解決手段】測定部位が乳幼児の口中である電子体温計であって、測温部を含み、おしゃぶり機能と体温測定機能を備えた測定部と、制御部、表示部を備えた本体部と、からなる測定部位が乳幼児の口中である電子体温計であり、測定部は本体部から着脱可能であり、測定部が本体部から取り外されると本体部の電源がＯＮされることを特徴とする。また、電源がＯＮされた後、所定時間後に、本体部から所定の電磁波を発生して、測定部で測定された体温値を読み取り、表示部に体温値を表示することを特徴とする。また、電源がＯＮされた後、表示部に体温値が表示されるまでの間、表示部にキャラクタをアニメーション表示することを特徴とする。【選択図】図１
2011007582.tif 000002
【特許請求の範囲】
【請求項１】
測定部位が乳幼児の口中である電子体温計であって、
測温部を含み、おしゃぶり機能と体温測定機能を備えた測定器と、
制御部、表示部を備えた本体部と、からなる測定部位が乳幼児の口中である電子体温計であって、
該測定器は該本体部から着脱可能であり、該測定部が該本体部から取り外されると該本体部の電源がＯＮされることを特徴とする電子体温計。
【請求項２】
電源がＯＮされた後、所定時間後に、該本体部から所定の電磁波を発生して、該測定器で測定された体温値を読み取り、該表示部に該体温値を表示することを特徴とする請求項１に記載の電子体温計。
【請求項３】
電源がＯＮされた後、該表示部に該体温値が表示されるまでの間、該表示部にキャラクタをアニメーション表示することを特徴とする請求項１または請求項２に記載の電子体温計。
【請求項４】
該表示部は、有機ＥＬで形成されたことを特徴とする請求項１〜３のいずれかに記載の電子体温計。
【発明の詳細な説明】
【技術分野】
【０００１】
本発明は、電子体温計に関するものである。特に、乳幼児が口に咥えて体温を測定する、いわゆるおしゃぶり型電子体温計に関するものである。
【背景技術】
【０００２】
従来の電子体温計においては、日本においては主に水銀体温計の形状を踏襲し、体温測定部位をワキ下（腋下）とし、保護者・介護者が棒状の電子体温計のプローブ部（金属キヤップ部）を被測定者のワキ下（腋下）に挟んだり、測定者自身が棒状の電子体温計のプローブ部（金属キャップ部）をワキ下（腋下）に挟んで体温を測定するものである（特許文献１：特公平３−２４６１５号公報）。これに対して、乳幼児が口に咥えて体温を測定する、いわゆるおしゃぶり型電子体温計が提案されている（特許文献２：特開２００６−２５８７９０号公報）。
【先行技術文献】
【特許文献】
【０００３】
【特許文献１】特公平３−２４６１５号公報
【特許文献２】特開２００６−２５８７９０号公報
【発明の概要】
【発明が解決しようとする課題】
【０００４】
おしゃぶり型電子体温計は、測定器と本体部が信号ケーブルで接続されており、数分間を要する測定時間中に信号ケーブルを触ったりすることで正確な体温測定が難しいという問題がある。
【０００５】
本発明は、上記問題点に鑑みなされたものであり、乳幼児が飽きることなく口中での体温測定ができる電子体温計を提供することを目的としている。
【課題を解決するための手段】
【０００６】
上記目的を達成するために、本発明の電子体温計は、測定部位が乳幼児の口中である電子体温計であって、測温部を含み、おしゃぶり機能と体温測定機能を備えた測定器と、制御部、表示部を備えた本体部と、からなる測定部位が乳幼児の口中である電子体温計であり、測定部は本体部から着脱可能であり、測定器が本体部から取り外されると本体部の電源がＯＮされることを特徴とする。また、電源がＯＮされた後、所定時間後に、本体部から所定の電磁波を発生して、測定器で測定された体温値を読み取り、表示部に体温値を表示することを特徴とする。また、電源がＯＮされた後、表示部に体温値が表示されるまでの間、表示部にキャラクタをアニメーション表示することを特徴とする。また、表示部は、有機ＥＬで形成されたことを特徴とする。
【発明の効果】
【０００７】
本発明によれば、体温測定中に乳幼児が飽きることなく口中で精度の高い体温測定ができる電子体温計を提供することができる。
【図面の簡単な説明】
【０００８】
【図１】本発明の電子体温計の好ましい実施形態を示す図である。
【図２】図１に示す電子体温計のブロック図である。
【発明を実施するための形態】
【０００９】
以下に、図面を参照して、この発明の実施の形態を実測式の電子体温計を例示的に詳しく説明する。ただし、この実施の形態に記載されている構成要素はあくまで例示であり、この発明の範囲をこれらに限定する趣旨のものではなく、平衡温予測式の電子体温計に適用できることはいうまでもない。
【００１０】
＜電子体温計の構成＞
図１は、本実施形態の電子体温計を示すもので、（ａ）は測定器、本体部を組み合わせた平面図、（ｂ）は測定器、本体部を組み合わせた正面図、（ｃ）は測定器、本体部を組み合わせた側面図、（ｄ）は本体部から取り外した時の測定器の平面図、（ｅ）は本体部から取り外した時の測定器の正面図、（ｆ）は本体部から取り外した時の測定器の側面図、図２は、機能ブロック図であり、（ａ）は本体部の機能ブロック図、（ｂ）は測定器の機能ブロック図である。
【００１１】
図１において、（ｄ）〜（ｆ）に示すように、電子体温計１の測定器１０は、乳首部分１１と、把持部１２ａを備えた受け皿部（フランジ部）１２からなる。柔軟性材料で形成されている受け皿部１２は波打ち形状となっていて、柔軟性材料によって形成されている人工乳首部１１と繋がっている。人工乳首部１１の先端部１１ａには、例えば、温度センサであるサーミスタを含む測温部７（図２参照）が収納されている。人工乳首部１１は、（ｄ），（ｅ）から明らかなように、断面が偏平形状（長円形状または楕円形状）をしていて、口中での体温測定に際して乳幼児が咥えやすくなるようになっている。受け皿部１２は、内側に曲線形状を有する曲線形状部１２ｃと、人工乳首部１１側には把持部１２ａが設けられている。また、切欠部１２ｂが設けられている。曲線形状部１２ｃや受け皿部１２の波打ち形状は、乳幼児が測定器１０を咥えている時に鼻孔を塞がないようにするためである。また、切欠部１２ｂは、持った時のすべりを防止するためのものである。測定器１０は、重量が５〜１５ｇ程度である。人工乳首部１１は肉厚が２．５ｍｍ程度でイソプレンゴムやシリコンゴム，スチレンブタジエン共重合体，水添スチレンブタジエン共重合体等で形成されるが、好ましくは硬度１５度（ＪＩＳ−Ｋ６２５３（ＩＳＯ７６１９）におけるＡ型デュロメータによる硬度）のシリコンゴムにより形成されている。また、受け皿部１２はシリコンゴムより硬度が高いエラストマーで人工乳首部１１と一体的に形成されている。
【００１２】
体温測定を行わない時は、（ａ）〜（ｃ）に示すように、電子体温計１の測定器１０は、表示部４を備えた本体部２の上部の開口部に人工乳首部１１が収納された状態となっている。この状態では、電池（電源部）１３（図２参照）からの電源の供給はなく、人工乳首部１１に埃やゴミが付着するのを防止している。本体部２には、例えば有機ＥＬ等で形成される表示部２が設けられている。
【００１３】
図２（ａ）において、電子体温計１を構成する本体部２は、測定された体温値や測定中にキャラクタ等のアニメーション表示を行なう表示部４、電源のＯＮ／ＯＦＦを行なうスイッチ５、測定器１０との間で送受信を行なうためのアンテナ部を含む外部通信部６、演算制御部（ＣＰＵ）１２、体温測定に必要なパラメータを格納したＥＥＰＲＯＭ１２ｃ、計測温度を時系列で記憶するためのＲＡＭ１２ａ、被検者の体温を予測演算するプログラム等を格納したＲＯＭ１２ｂを備えている。演算制御部（ＣＰＵ）１２は、体温測定に必要なパラメータを格納したＥＥＰＲＯＭ１２ｃ、計測温度を時系列で記憶するためのＲＡＭ１２ａ、被検者の体温を予測演算するプログラム等を格納したＲＯＭ１２ｂに基づき、電子体温計１全体を制御する。演算制御部１２は、測温部７より出力されるデジタル信号のＯＮ時間を計測するタイマー（不図示）を備える。
【００１４】
図２（ｂ）において、電子体温計１を構成する測定器１０は、人工乳首部１１の先端部１１ａの中に収納されている測温部７、本体部２との間で送受信を行なうためのアンテナ部，コイルを含む外部通信部１０６、演算制御部（ＣＰＵ）１１２、体温測定に必要なパラメータを格納したＥＥＰＲＯＭ１１２ｃ、計測温度を時系列で記憶するためのＲＡＭ１１２ａ、演算するプログラム等を格納したＲＯＭ１１２ｂを備えている。演算制御部（ＣＰＵ）１１２は、体温測定に必要なパラメータを格納したＥＥＰＲＯＭ１１２ｃ、計測温度を時系列で記憶するためのＲＡＭ１１２ａ、被検者の体温を予測演算するプログラム等を格納したＲＯＭ１１２ｂに基づき、測定器１０全体を制御する。測定温部７は、サーミスタ、コンデンサ、測温用ＣＲ発振回路等から構成されており、サーミスタにより検出された温度を発信信号として出力する。出力された発信信号はカウンタにおいてカウントされることで、デジタル量として出力される。
【００１５】
＜電子体温計における体温測定処理の流れ＞
次に、電子体温計における体温測定処理の流れについて説明する。なお、ここでは、平衡温予測式の電子体温計１の体温測定処理の流れについて説明するが、本発明はこれに限定されず、実測式の電子体温計、予測／実測を併用するタイプの電子体温計にも適用可能である。
【００１６】
測定器１０を本体部２から取り外すと、電源スイッチ５がＯＮ状態となり、体温測定の動作が開始される。測定開始動作後、６０秒程度後に、外部通信部６から、例えば１３．５６ＭＨｚ，８６０〜９６０ＭＨｚ，２．４５ＧＨｚのうちのいずれかの電磁波が５秒毎に送信される（好ましいものとしては、８６０〜９６０ＭＨｚで、この場合、送受信距離は、２〜３ｍ）。これと並行して、測定器１０の人工乳首部１１を乳幼児に咥えさせる。この電磁波を外部通信部１０６で受信し、その信号と同期して得られる測温部７の体温情報を外部通信部６を経て本体部２で読取る。測定されたこれらの体温情報は、ＲＡＭ１２ａに記憶される。この体温情報は閾値と比較される。例えば、体温の場合、上限値が３７．０℃、下限値が３５．５℃としている。体温情報が異常（測定中の異常も含む）と判断されると、アラームを発生させる。体温測定が終了するとブザー，バイブレータ，光（不図示）などで報知する。異常がある場合は「発熱」と表示部４に表示させる。なお、表示部の表示モード切替スイッチを設けて、表示部４で過去２４時間の体温値のトレンド、過去７日の体温値のトレンドを表示するようにしてもよい。
【００１７】
＜測定開始・予測演算の条件＞
具体的には、前回の温度計測により演算された温度データの値（つまり、０．５秒前の温度データの値）からの上昇度が、所定の値（例えば、１℃）以上となったか否かを判断する。次に、上昇度が所定の値以上となったと判断した場合には、体温測定開始条件が成立したと判断し、当該温度データを計測したタイミングを、予測体温演算の基準点（ｔ＝０）として設定する。つまり、電子体温計１では、急激な温度上昇が計測されると、乳幼児が、口中に人工乳首部１１を咥えたものとみなす。
【００１８】
次に、体温測定開始条件が成立したと判断した場合には、温度データの取り込みを開始する。具体的には、出力された温度データと、当該温度データを計測したタイミングとを、時系列データとしてＲＡＭ１２ａに記憶する。次に、記憶された温度データを用いて、所定の予測式により、予測体温を演算する。
【００１９】
次に、基準点（ｔ＝０）から所定時間（例えば２５秒）、経過した後に、算出された一定区間（例えば、ｔ＝２５〜３０秒）における予測値が、予め設定された予測成立条件を満たすか否かを判断する。具体的には、所定の範囲（例えば、０．１℃）以内に収まっているか否かを判断する。
【００２０】
次に、予測成立条件を満たすと判断されると、温度計測を終了するとともに、予測体温の演算が終了した旨の音声をスピーカ（不図示）で出力し、表示部４に、演算された予測体温を表示する。測定器１０を図１（ａ），（ｂ）（ｃ）のように本体部２に戻すことで、スイッチ５がＯＦＦされて、電池（電源部）１３からの電源供給が停止する。
【００２１】
一方、予測成立条件を満たさないと判断された場合には、基準点（ｔ＝０）から所定時間（例えば４５秒）経過したか否かを判断し、経過したと判断された場合には、温度計測を強制終了する。なお、強制終了した場合には、その際に演算されていた予測体温を、表示部４に表示する。測定器１０を図１（ａ），（ｂ）（ｃ）のように本体部２に戻すことで、スイッチ５がＯＦＦされて、電池（電源部）１３からの電源供給が停止する。
【符号の説明】
【００２２】
１  電子体温計、２  本体部、４  表示部、５  スイッチ、７  測温部、１０  測定器  １１  人工乳首部
【図１】
2011007582.tif 000003
【図２】
2011007582.tif 000004